(57)【要約】【課題】フィルタの下流側に塩が侵入することを抑制することが可能なガスタービンの吸気方法及びガスタービン吸気装置を提供する。【解決手段】吸気部を介して大気中から吸気した空気を、吸気部に設けられたフィルタを介して圧縮機の吸気側へと導くガスタービンの吸気方法であって、フィルタの水分量に基づいて、吸気部よりも上流側で噴射されるミストの噴射量を調節する噴射量調節工程を含む。【選択図】図２
2017203411.tif 000002
【特許請求の範囲】
【請求項１】
吸気部を介して大気中から吸気した空気を、前記吸気部に設けられたフィルタを介して圧縮機の吸気側へと導くガスタービンの吸気方法であって、
前記フィルタの水分量に基づいて、前記吸気部よりも上流側で噴射されるミストの噴射量を調節する噴射量調節工程を含む
ことを特徴とするガスタービンの吸気方法。
【請求項２】
前記水分量が予め設定した閾値を超えたか否かを判定する判定工程を更に含み、
前記噴射量調節工程では、前記判定工程において前記水分量が前記閾値を超えたと判定されたときに前記ミストの噴射量を減少させる
ことを特徴とする請求項１に記載のガスタービンの吸気方法。
【請求項３】
前記判定工程では、前記フィルタよりも上流側の上流側雰囲気と前記フィルタよりも下流側の下流側雰囲気との湿度に基づいて、前記下流側雰囲気の湿度が前記上流側雰囲気の湿度よりも所定値以上高いときに前記水分量が前記閾値を超えたと判定する
ことを特徴とする請求項２に記載のガスタービンの吸気方法。
【請求項４】
前記判定工程では、前記フィルタよりも上流側の上流側雰囲気と前記フィルタよりも下流側の下流側雰囲気との温度に基づいて、前記下流側雰囲気の温度が前記上流側雰囲気の温度よりも所定値以上低いときに前記水分量が前記閾値を超えたと判定する
ことを特徴とする請求項２又は３に記載のガスタービンの吸気方法。
【請求項５】
前記判定工程では、前記フィルタよりも上流側の上流側雰囲気と前記フィルタよりも下流側の下流側雰囲気との差圧に基づいて、前記上流側雰囲気と前記下流側雰囲気との差圧が所定値を超えたときに前記水分量が前記閾値を超えたと判定する
ことを特徴とする請求項２から４の何れか一項に記載のガスタービンの吸気方法。
【請求項６】
前記判定工程では、前記フィルタに設けられた水分検知部の検知結果に基づいて、前記水分量が前記閾値を超えたと判定する
ことを特徴とする請求項２から５の何れか一項に記載のガスタービンの吸気方法。
【請求項７】
大気中から空気を吸気するとともに、前記空気を圧縮機の吸気側へと導く吸気部と、
前記吸気部よりも上流側に設けられるとともに、ミストを空気中に噴射する噴射部と、
前記吸気部に設けられたフィルタと、
前記フィルタの水分量に基づいて、前記噴射部から噴射される前記ミストの噴射量を調節する噴射量調節部と、を備えている
ことを特徴とするガスタービン吸気装置。
【請求項８】
前記水分量が予め設定した閾値を超えたか否かを判定する判定部と、を更に備え、
前記噴射量調節部は、前記判定部において前記水分量が前記閾値を超えたと判定されたときに前記ミストの噴射量を減少させる
ことを特徴とする請求項７に記載のガスタービン吸気装置。
【請求項９】
前記フィルタよりも上流側の上流側雰囲気と前記フィルタよりも下流側の下流側雰囲気との湿度を取得する湿度取得部を更に備え、
前記判定部は、前記湿度取得部によって取得された前記上流側雰囲気と前記下流側雰囲気との湿度に基づいて、前記下流側雰囲気の湿度が前記上流側雰囲気の湿度よりも所定値以上高いときに前記水分量が前記閾値を超えたと判定する
ことを特徴とする請求項８に記載のガスタービン吸気装置。
【請求項１０】
前記フィルタよりも上流側の上流側雰囲気と前記フィルタよりも下流側の下流側雰囲気との温度を取得する温度取得部を更に備え、
前記判定部は、前記温度取得部によって取得された前記上流側雰囲気と前記下流側雰囲気との温度に基づいて、前記下流側雰囲気の温度が前記上流側雰囲気の温度よりも所定値以上低いときに前記水分量が前記閾値を超えたと判定する
ことを特徴とする請求項８又は９に記載のガスタービン吸気装置。
【請求項１１】
前記フィルタよりも上流側の上流側雰囲気と前記フィルタよりも下流側の下流側雰囲気との差圧を取得する差圧取得部を更に備え、
前記判定部は、前記差圧取得部によって取得された前記上流側雰囲気と前記下流側雰囲気との差圧に基づいて、前記上流側雰囲気と前記下流側雰囲気との差圧が所定値を超えたときに前記水分量が前記閾値を超えたと判定する
ことを特徴とする請求項８から１０の何れか一項に記載のガスタービン吸気装置。
【請求項１２】
前記フィルタに設けられた水分検知部を更に備え、
前記判定部は、前記水分検知部の検知結果に基づいて、前記水分量が前記閾値を超えたと判定する
ことを特徴とする請求項８から１１の何れか一項に記載のガスタービン吸気装置。
【発明の詳細な説明】
【技術分野】
【０００１】
本発明は、ガスタービンの吸気方法及びガスタービン吸気装置に関する。
【背景技術】
【０００２】
ガスタービンは、燃焼器で生成された燃焼ガスによって動力を発生する。燃焼器には、圧縮機からの圧縮空気が供給される。圧縮機には、吸気装置が大気中から取り込んだ空気がフィルタを介して供給される。
このような圧縮機では、外気温が上昇する夏期において、圧縮機に吸気される空気の質量が空気密度の低下に伴って減少し、圧縮比が低下してしまう。
そこで、圧縮機に吸気される空気の吸気通路にミストを噴射することで、圧縮機に吸気される空気を冷却する技術が知られている（例えば、特許文献１参照）。
【先行技術文献】
【特許文献】
【０００３】
【特許文献１】特開２０１０−２４９０４３号公報
【発明の概要】
【発明が解決しようとする課題】
【０００４】
ところで、大気中（特に、海の近傍）には塩分が存在するため、大気中の塩分が空気とともに吸気装置の内部に取り込まれ、吸気装置に設置されたフィルタの上流側に塩が付着することがある。一方、吸気通路にミストを噴射すると、蒸発せずに残ったミストがフィルタの上流側に付着し、フィルタが濡れることがある。この場合、フィルタに付着した塩がフィルタの水分によって溶けることがある。そして、フィルタが過度に濡れていると、塩分を含む水（以下、単に「塩水」という。）がフィルタを通り抜けることがある。さらに、フィルタの下流側に塩が析出することもある。そうすると、フィルタを通り抜けた塩水、又はフィルタの下流側に析出した塩が飛散してガスタービンに入り込み、ガスタービンの性能が低下してしまう可能性がある。そこで、フィルタの下流側に塩が侵入することを抑制する新たな技術の提供が望まれている。
【０００５】
本発明は、上記の課題を解決するためになされたものであって、フィルタの下流側に塩が侵入することを抑制することが可能なガスタービンの吸気方法及びガスタービン吸気装置を提供することを目的とする。
【課題を解決するための手段】
【０００６】
本発明の一態様に係るガスタービンの吸気方法は、吸気部を介して大気中から吸気した空気を、前記吸気部に設けられたフィルタを介して圧縮機の吸気側へと導くガスタービンの吸気方法であって、前記フィルタの水分量に基づいて、前記吸気部よりも上流側で噴射されるミストの噴射量を調節する噴射量調節工程を含むことを特徴とする。
【０００７】
本発明の一態様に係るガスタービンの吸気方法によれば、フィルタの水分量に基づいて吸気部よりも上流側で噴射されるミストの噴射量を調節することで、フィルタが過度に濡れることを抑制することができる。そのため、フィルタの上流側に塩が付着し、フィルタの水分によって塩が溶けたとしても、塩水がフィルタを通り抜けることを抑えることができる。したがって、フィルタの下流側に塩が侵入することを抑制することができる。
【０００８】
上記ガスタービンの吸気方法においては、前記水分量が予め設定した閾値を超えたか否かを判定する判定工程を更に含み、前記噴射量調節工程では、前記判定工程において前記水分量が前記閾値を超えたと判定されたときに前記ミストの噴射量を減少させることが好ましい。
この方法によれば、フィルタの水分量が閾値を超えたと判定されたときにミストの噴射量を減少させることで、フィルタが過度に濡れることをより確実に抑制することができる。例えば、閾値を安全側に設定しておくことによって、フィルタの下流側に塩が侵入することをより確実に抑制することができる。なお、安全側は、フィルタの上流側にのみ水分が含まれる程度の水分量（すなわち、フィルタの下流側には水分が含まれない状態の水分量）としてもよい。
【０００９】
上記ガスタービンの吸気方法においては、前記判定工程では、前記フィルタよりも上流側の上流側雰囲気と前記フィルタよりも下流側の下流側雰囲気との湿度に基づいて、前記下流側雰囲気の湿度が前記上流側雰囲気の湿度よりも所定値以上高いときに前記水分量が前記閾値を超えたと判定することが好ましい。
ここで、フィルタが濡れていると、フィルタを通り抜けた空気が湿るため、下流側雰囲気の湿度は上流側雰囲気の湿度よりも高くなる。この方法によれば、下流側雰囲気の湿度が上流側雰囲気の湿度よりも所定値以上高いときにフィルタの水分量が閾値を超えたと判定することで、ミストの噴射量を減少させるタイミングをフィルタが過度に濡れる前に簡便かつ確実に取得することができる。
【００１０】
上記ガスタービンの吸気方法においては、前記判定工程では、前記フィルタよりも上流側の上流側雰囲気と前記フィルタよりも下流側の下流側雰囲気との温度に基づいて、前記下流側雰囲気の温度が前記上流側雰囲気の温度よりも所定値以上低いときに前記水分量が前記閾値を超えたと判定することが好ましい。
ここで、フィルタが濡れていると、フィルタを通り抜けた空気が冷却されるため、下流側雰囲気の温度は上流側雰囲気の温度よりも低くなる。この方法によれば、下流側雰囲気の温度が上流側雰囲気の温度よりも所定値以上低いときにフィルタの水分量が閾値を超えたと判定することで、ミストの噴射量を減少させるタイミングをフィルタが過度に濡れる前に簡便かつ確実に取得することができる。
【００１１】
上記ガスタービンの吸気方法においては、前記判定工程では、前記フィルタよりも上流側の上流側雰囲気と前記フィルタよりも下流側の下流側雰囲気との差圧に基づいて、前記上流側雰囲気と前記下流側雰囲気との差圧が所定値を超えたときに前記水分量が前記閾値を超えたと判定することが好ましい。
ここで、フィルタが濡れていたり、フィルタに塩が付着していたりすると、フィルタを通過して下流側に流れ込む空気の流量が減少するため、上流側雰囲気の圧力が下流側雰囲気の圧力よりも高くなり、上流側雰囲気と下流側雰囲気との差圧が大きくなる。この方法によれば、上流側雰囲気と下流側雰囲気との差圧が所定値を超えたときにフィルタの水分量が閾値を超えたと判定することで、ミストの噴射量を減少させるタイミングを、フィルタが過度に濡れたりフィルタに塩が過度に付着したりする前に簡便かつ確実に取得することができる。例えば、所定値を安全側に設定しておくことによって、フィルタが過度に濡れたりフィルタに塩が過度に付着したりする前にミストの噴射量を減少させるタイミングを取得することができるため、フィルタの下流側に塩が侵入することをより確実に抑制することができる。
【００１２】
上記ガスタービンの吸気方法においては、前記判定工程では、前記フィルタに設けられた水分検知部の検知結果に基づいて、前記水分量が前記閾値を超えたと判定することが好ましい。
この方法によれば、フィルタに設けられた水分検知部の検知結果に基づいてフィルタの水分量が閾値を超えたと判定することで、ミストの噴射量を減少させるタイミングを直接的に取得することができる。
【００１３】
本発明の一態様に係るガスタービン吸気装置は、大気中から空気を吸気するとともに、前記空気を圧縮機の吸気側へと導く吸気部と、前記吸気部よりも上流側に設けられるとともに、ミストを空気中に噴射する噴射部と、前記吸気部に設けられたフィルタと、前記フィルタの水分量に基づいて、前記噴射部から噴射される前記ミストの噴射量を調節する噴射量調節部と、を備えていることを特徴とする。
【００１４】
本発明の一態様に係るガスタービン吸気装置によれば、フィルタの水分量に基づいて吸気部よりも上流側で噴射されるミストの噴射量を調節することで、フィルタが過度に濡れることを抑制することができる。そのため、フィルタの上流側に塩が付着し、フィルタの水分によって塩が溶けたとしても、塩水がフィルタを通り抜けることを抑えることができる。したがって、フィルタの下流側に塩が侵入することを抑制することができる。
【００１５】
上記ガスタービン吸気装置においては、前記水分量が予め設定した閾値を超えたか否かを判定する判定部と、を更に備え、前記噴射量調節部は、前記判定部において前記水分量が前記閾値を超えたと判定されたときに前記ミストの噴射量を減少させることが好ましい。
この構成によれば、フィルタの水分量が閾値を超えたと判定されたときにミストの噴射量を減少させることで、フィルタが過度に濡れることをより確実に抑制することができる。例えば、閾値を安全側に設定しておくことによって、フィルタの下流側に塩が侵入することをより確実に抑制することができる。なお、安全側は、フィルタの上流側にのみ水分が含まれる程度の水分量（すなわち、フィルタの下流側には水分が含まれない状態の水分量）としてもよい。
【００１６】
上記ガスタービン吸気装置においては、前記フィルタよりも上流側の上流側雰囲気と前記フィルタよりも下流側の下流側雰囲気との湿度を取得する湿度取得部を更に備え、前記判定部は、前記湿度取得部によって取得された前記上流側雰囲気と前記下流側雰囲気との湿度に基づいて、前記下流側雰囲気の湿度が前記上流側雰囲気の湿度よりも所定値以上高いときに前記水分量が前記閾値を超えたと判定することが好ましい。
ここで、フィルタが濡れていると、フィルタを通り抜けた空気が湿るため、下流側雰囲気の湿度は上流側雰囲気の湿度よりも高くなる。この構成によれば、下流側雰囲気の湿度が上流側雰囲気の湿度よりも所定値以上高いときにフィルタの水分量が閾値を超えたと判定することで、ミストの噴射量を減少させるタイミングをフィルタが過度に濡れる前に簡便かつ確実に取得することができる。
【００１７】
上記ガスタービン吸気装置においては、前記フィルタよりも上流側の上流側雰囲気と前記フィルタよりも下流側の下流側雰囲気との温度を取得する温度取得部を更に備え、前記判定部は、前記温度取得部によって取得された前記上流側雰囲気と前記下流側雰囲気との温度に基づいて、前記下流側雰囲気の温度が前記上流側雰囲気の温度よりも所定値以上低いときに前記水分量が前記閾値を超えたと判定することが好ましい。
ここで、フィルタが濡れていると、フィルタを通り抜けた空気が冷却されるため、下流側雰囲気の温度は上流側雰囲気の温度よりも低くなる。この構成によれば、下流側雰囲気の温度が上流側雰囲気の温度よりも所定値以上低いときにフィルタの水分量が閾値を超えたと判定することで、ミストの噴射量を減少させるタイミングをフィルタが過度に濡れる前に簡便かつ確実に取得することができる。
【００１８】
上記ガスタービン吸気装置においては、前記フィルタよりも上流側の上流側雰囲気と前記フィルタよりも下流側の下流側雰囲気との差圧を取得する差圧取得部を更に備え、前記判定部は、前記差圧取得部によって取得された前記上流側雰囲気と前記下流側雰囲気との差圧に基づいて、前記上流側雰囲気と前記下流側雰囲気との差圧が所定値を超えたときに前記水分量が前記閾値を超えたと判定することが好ましい。
ここで、フィルタが濡れていたり、フィルタに塩が付着していたりすると、フィルタを通過して下流側に流れ込む空気の流量が減少するため、上流側雰囲気と下流側雰囲気との差圧が大きくなる（すなわち、上流側雰囲気の圧力が下流側雰囲気の圧力よりも高くなる）。この構成によれば、上流側雰囲気と下流側雰囲気との差圧が所定値を超えたときにフィルタの水分量が閾値を超えたと判定することで、ミストの噴射量を減少させるタイミングを、フィルタが過度に濡れたりフィルタに塩が過度に付着したりする前に簡便かつ確実に取得することができる。例えば、所定値を安全側に設定しておくことによって、フィルタが過度に濡れたりフィルタに塩が過度に付着したりする前にミストの噴射量を減少させるタイミングを取得することができるため、フィルタの下流側に塩が侵入することをより確実に抑制することができる。
【００１９】
上記ガスタービン吸気装置においては、前記フィルタに設けられた水分検知部を更に備え、前記判定部は、前記水分検知部の検知結果に基づいて、前記水分量が前記閾値を超えたと判定することが好ましい。
この構成によれば、フィルタに設けられた水分検知部の検知結果に基づいてフィルタの水分量が閾値を超えたと判定することで、ミストの噴射量を減少させるタイミングを直接的に取得することができる。
【発明の効果】
【００２０】
本発明によれば、フィルタの下流側に塩が侵入することを抑制することができる。
【図面の簡単な説明】
【００２１】
【図１】第一実施形態に係るガスタービンプラントの概略構成を示す図。
【図２】第一実施形態に係る吸気冷却装置の要部構成を示す上面図。
【図３】第一実施形態に係るガスタービンの吸気方法において、大気の湿度とミストの噴射量との関係を示す図。
【図４】第二実施形態に係る吸気冷却装置の要部構成を示す上面図。
【図５】第二実施形態に係るガスタービンの吸気方法において、大気の温度とミストの噴射量との関係を示す図。
【図６】第三実施形態に係る吸気冷却装置の要部構成を示す上面図。
【図７】第三実施形態に係るガスタービンの吸気方法において、上流側雰囲気と下流側雰囲気との差圧と、ミストの噴射量との関係を示す図。
【図８】第四実施形態に係る吸気冷却装置の要部構成を示す側面図。
【図９】第五実施形態に係る吸気冷却装置の要部構成を示す上面図。
【図１０】第六実施形態に係るガスタービンの吸気方法におけるフローチャートを示す図。
【発明を実施するための形態】
【００２２】
以下、本発明のガスタービンの吸気方法及びガスタービン吸気装置に係る一実施例について図面を参照して説明する。なお、この実施形態に記載されている構成部品の寸法、材質、形状、その相対的配置等は、特定的な記載がない限り本発明の範囲をこれに限定する趣旨ではなく、単なる説明例にすぎない。
【００２３】
以下の説明においては、ＸＹＺ直交座標系を設定し、このＸＹＺ直交座標系を参照しつつ各部材の位置関係について説明する。そして、水平面内の所定方向をＸ軸方向、水平面内においてＸ軸方向と直交する方向をＹ軸方向、Ｘ軸方向及びＹ軸方向のそれぞれに直交する方向（すなわち鉛直方向）をＺ軸方向とする。
【００２４】
（第一実施形態）
［ガスタービンプラント］
図１に示すように、ガスタービンプラント１は、圧縮空気を生成する圧縮機２と、圧縮機２で生成された圧縮空気を用いて燃焼ガスを生成する燃焼器３と、燃焼器３で生成された燃焼ガスによって動力を発生するガスタービン４と、吸気冷却装置１０（ガスタービン吸気装置）と、を備えている。ガスタービン４は、発電機５に連結されている。ガスタービン４で発生した動力は、発電機５により電力に変換されるようになっている。
【００２５】
［吸気冷却装置］
図２に示すように、吸気冷却装置１０は、外部（大気中）から空気を取り込む吸気用建屋１１と、吸気用建屋１１に連通するとともに、外部から取り込んだ空気を圧縮機２の吸気側へと導く吸気ダクト１２と、吸気用建屋１１よりも上流側に配置されるとともに、ミスト状の液体（ミスト）を空気中に噴射する複数の噴射ノズル１３（噴射部）と、吸気用建屋１１に設けられたフィルタユニット３０と、周囲の雰囲気の湿度を取得する湿度取得部４０と、複数の噴射ノズル１３から噴射されるミストの噴射量を調節する噴射量調節部１６と、噴射量調節部１６を制御する制御部５０と、を備えている。
【００２６】
なお、吸気用建屋１１は、ガスタービンプラント１の設備の一部を構成するものである。また、吸気用建屋１１及び吸気ダクト１２は、外部から空気を吸気するとともに、吸気した空気を圧縮機２の吸気側へと導く吸気部を構成するものである。
【００２７】
［吸気用建屋（吸気部）］
図２に示すように、吸気用建屋１１は直方体状をなしている。吸気用建屋１１は、外気を吸気するための吸気面として、複数（例えば、本実施形態では３つ）の壁面を備えている。吸気用建屋１１は、吸気面として、ＸＺ面に平行な２面のうち上流側の壁面１１ａ、及びＺＹ平面に平行な２面である壁面１１ｂ、１１ｃを備えている。
【００２８】
壁面１１ａ，１１ｂ，１１ｃには、大気中に開口された複数の空気取入口２１が形成されている。図１に示すように、複数の空気取入口２１は、４つで平面視矩形状の１つの取入口ユニット２１Ａを構成している。このような構成により、吸気用建屋１１は、３つの壁面１１ａ，１１ｂ，１１ｃから外気を内部に形成された吸気室１４（図２参照）に導入することが可能とされている。
【００２９】
吸気用建屋１１の壁面１１ａ、１１ｂ、１１ｃには、複数の取入口ユニット２１Ａを区画するルーバー２２が設けられている。ルーバー２２は、Ｚ方向に延びる長板状の部材である。壁面１１ａには、６つのルーバー２２がＸ方向に間隔を開けて並んで配置されている。壁面１１ｂ、１１ｃには、２つのルーバー２２がＹ方向に間隔を開けて並んで配置されている。なお、ルーバー２２の数は、吸気用建屋１１の大きさ、空気取入口２１（取入口ユニット２１Ａ）の大きさ及び数などによって適宜設定可能である。
【００３０】
ルーバー２２は、吸気用建屋１１の空気取入口２１に雨が直接的に入り込むことを防止するためのものである。吸気用建屋１１は、ルーバー２２を備えることで、空気取入口２１に吸気した空気を効率的に取り込むことが可能とされている。また、ルーバー２２は、噴射ノズル１３から噴射されて空気中に残留したミストを捕捉する捕捉部材としても機能する。
【００３１】
［噴射ノズル（噴射部）］
図２に示すように、複数の噴射ノズル１３は、吸気用建屋１１を囲むように配置されている。噴射ノズル１３は、空気取入口２１に取り込まれる空気中に液体（例えば、水）をミスト状に噴射するためのものである。複数の噴射ノズル１３は、壁面１１ａ、１１ｂ、１１ｃに対向する位置であって、外気の導入方向（図２中矢印の方向）における上流側に配置されている。
【００３２】
図１に示すように、複数の噴射ノズル１３は、取入口ユニット２１Ａの中央部に対応する位置に配置されている。噴射ノズル１３は、１つの取入口ユニット２１Ａにつき１つ配置されている。なお、噴射ノズル１３の数は、噴射ノズル１３から噴射されるミストＭの拡散範囲を考慮して決定されることが好ましい。
【００３３】
噴射ノズル１３には、噴射される液体を噴射ノズル１３に供給するための配管１５が接続されている。そのため、噴射量調節部１６を制御することによって、配管１５を介して液体がタンク１７から噴射ノズル１３に供給されるようになっている。
【００３４】
噴射ノズル１３は、配管１５に取り付けられることで所定位置（壁面１１ａ、１１ｂ、１１ｃに対向する位置）に設置されている。図示はしないが、配管１５は、吸気用建屋１１から延びる固定部材に固定されていてもよいし、吸気用建屋１１とは別の固定部材を介して設置されていてもよい。
【００３５】
［フィルタユニット］
図２に示すように、フィルタユニット３０は、吸気室１４に設けられている。フィルタユニット３０は、複数（例えば、本実施形態では２つ）のフィルタを備えている。具体的に、フィルタユニット３０は、外気の導入方向（図２中矢印の方向）における上流側に配置されたプレフィルタ３１と、プレフィルタ３１よりも下流側に配置された塵埃フィルタ３２と、を備えている。これにより、塵埃フィルタ３２にミストが到達する前にプレフィルタ３１によってミストＭを捕捉できるので、塵埃フィルタ３２がミストＭで濡れることで捕集した塵埃が膜を形成し、圧力損失が上昇してしまうといった不具合の発生を防止することができる。
【００３６】
［プレフィルタ］
図２の上面視で、プレフィルタ３１は、吸気ダクト１２側（＋Ｙ方向）に向けて開放するＵ字状をなしている。プレフィルタ３１は、壁面１１ａから＋Ｙ方向に間隔を開けて壁面１１ａと実質的に平行に配置されるとともにＹ方向に厚みを有するプレフィルタ壁３１ａと、壁面１１ｂから−Ｘ方向に間隔を開けて壁面１１ｂと実質的に平行に配置されるとともにＸ方向に厚みを有するプレフィルタ壁３１ｂと、壁面１１ｃから＋Ｘ方向に間隔を開けて壁面１１ｃと実質的に平行に配置されるとともにＸ方向に厚みを有するプレフィルタ壁３１ｃと、を備えている。
【００３７】
プレフィルタ壁３１ａと壁面１１ａとの間隔、プレフィルタ壁３１ｂと壁面１１ｂとの間隔、及びプレフィルタ壁３１ｃと壁面１１ｃとの間隔は、互いに実質的に同じ間隔となっている。なお、プレフィルタ壁３１ａと壁面１１ａとの間隔、プレフィルタ壁３１ｂと壁面１１ｂとの間隔、及びプレフィルタ壁３１ｃと壁面１１ｃとの間隔は、互いに異なる間隔となっていてもよく、特に限定されない。
【００３８】
プレフィルタ壁３１ａの厚み、プレフィルタ壁３１ｂの厚み、及びプレフィルタ壁３１ｃの厚み、互いに実質的に同じ厚みとなっている。なお、プレフィルタ壁３１ａの厚み、プレフィルタ壁３１ｂの厚み、及びプレフィルタ壁３１ｃの厚みは、互いに異なる厚みとなっていてもよく、特に限定されない。
【００３９】
プレフィルタ壁３１ａ，３１ｂ，３１ｃは、Ｚ方向に延びる角柱状の連結柱３３を介して連結されている。プレフィルタ壁３１ｂ，３１ｃは、連結柱３３を介して吸気用建屋１１に連結されている。なお、プレフィルタ壁３１ａ，３１ｂ，３１ｃは、連結柱３３を介さずに、直接的に連結されていてもよいし、互いに一体化されていてもよい。また、プレフィルタ壁３１ｂ，３１ｃは、連結柱３３を介さずに、吸気用建屋１１に直接的に連結されていてもよいし、互いに一体化されたプレフィルタ壁（すなわち、連結柱３３を介さずに一体化されたプレフィルタ）の＋Ｙ方向端が吸気用建屋１１に直接的に連結されていてもよい。
【００４０】
プレフィルタ３１は、噴射ノズル１３から噴射されたミストＭのうちルーバー２２に付着することなく、且つ蒸発せずに空気に同伴して飛翔してくるものを捕集する。例えば、プレフィルタ３１としては、長繊維グラスファイバ製パッドを用いることが好ましい。これにより、プレフィルタ３１の内部に捕集したミストＭをより多く保持して、プレフィルタ３１内におけるミストＭの蒸発によって空気をより一層効率的に冷却することができる。なお、プレフィルタ３１は、従来のエバポレーティブクーラに用いられている冷却メディアであってもよく、特に限定されない。
【００４１】
［塵埃フィルタ（フィルタ）］
図２の上面視で、塵埃フィルタ３２は、吸気ダクト１２側（＋Ｙ方向）に向けて開放するＵ字状をなしている。塵埃フィルタ３２は、請求項に記載の「フィルタ」に相当する。塵埃フィルタ３２は、プレフィルタ壁３１ａから＋Ｙ方向に間隔を開けてプレフィルタ壁３１ａと実質的に平行に配置されるとともにＹ方向に厚みを有する塵埃フィルタ壁３２ａと、プレフィルタ壁３１ｂから−Ｘ方向に間隔を開けてプレフィルタ壁３１ｂと実質的に平行に配置されるとともにＸ方向に厚みを有する塵埃フィルタ壁３２ｂと、プレフィルタ壁３１ｃから＋Ｘ方向に間隔を開けてプレフィルタ壁３１ｃと実質的に平行に配置されるとともにＸ方向に厚みを有する塵埃フィルタ壁３２ｃと、を備えている。
【００４２】
塵埃フィルタ壁３２ａとプレフィルタ壁３１ａとの間隔、塵埃フィルタ壁３２ｂとプレフィルタ壁３１ｂとの間隔、及び塵埃フィルタ壁３２ｃとプレフィルタ壁３１ｃとの間隔は、互いに実質的に同じ間隔となっている。なお、塵埃フィルタ壁３２ａとプレフィルタ壁３１ａとの間隔、塵埃フィルタ壁３２ｂとプレフィルタ壁３１ｂとの間隔、及び塵埃フィルタ壁３２ｃとプレフィルタ壁３１ｃとの間隔は、互いに異なる間隔となっていてもよく、特に限定されない。
【００４３】
塵埃フィルタ壁３２ａの厚み、塵埃フィルタ壁３２ｂの厚み、及び塵埃フィルタ壁３２ｃの厚み、互いに実質的に同じ厚みとなっている。なお、塵埃フィルタ壁３２ａの厚み、塵埃フィルタ壁３２ｂの厚み、及び塵埃フィルタ壁３２ｃは、互いに異なる厚みとなっていてもよく、特に限定されない。
【００４４】
塵埃フィルタ壁３２ａ，３２ｂ，３２ｃは、Ｚ方向に延びる角柱状の連結柱３３を介して連結されている。塵埃フィルタ壁３２ｂ，３２ｃは、連結柱３３を介して吸気用建屋１１に連結されている。なお、塵埃フィルタ壁３２ａ，３２ｂ，３２ｃは、連結柱３３を介さずに、直接的に連結されていてもよいし、互いに一体化されていてもよい。また、塵埃フィルタ壁３２ｂ，３２ｃは、連結柱３３を介さずに、吸気用建屋１１に直接的に連結されていてもよいし、互いに一体化された塵埃フィルタ壁（すなわち、連結柱３３を介さずに一体化された塵埃フィルタ）の＋Ｙ方向端が吸気用建屋１１に直接的に連結されていてもよい。
【００４５】
塵埃フィルタ３２は、吸気室１４内から吸気した空気中の塵埃を除去する。例えば、塵埃フィルタ３２としては、以下に示す３つのタイプのいずれかを用いることができる。第一のタイプは、中性能フィルタが１つのみ設けられたものである。第二のタイプは、中性能フィルタと、中性能フィルタと間隔を開けて下流側に設けられたＨＥＰＡフィルタ（High Efficiency Particulate Air filter）とからなるものである。第三のタイプは、中性能フィルタと、中性能フィルタと一体化して設けられたＨＥＰＡフィルタとからなるものである。
【００４６】
なお、フィルタユニット３０は、３つ以上の複数のフィルタを備えていてもよい。例えば、プレフィルタ３１は、複数（例えば、２つ）のフィルタ（第一プレフィルタ及び第二プレフィルタ）から構成されていてもよい。この場合において、第一プレフィルタを吸気室１４内のうち塵埃フィルタ３２の上流側であって空気取入口２１寄りに配置し、第二プレフィルタを吸気室１４内のうち塵埃フィルタ３２の上流側であって塵埃フィルタ３２寄りに配置してもよい。
【００４７】
また、第一プレフィルタは、第二プレフィルタよりも目の粗い濾材からなるものを用いるのが好ましい。これにより、空気中に噴射されたミストＭがルーバー２２に付着することなく、且つ蒸発せずに空気取入口２１内に入り込んでしまった場合であっても、空気中に残存した比較的大粒径のミストＭを、第一プレフィルタで予め捕集することが可能となり、第一プレフィルタで捕集されずに飛翔してきた小粒径のミストＭを第二プレフィルタで確実に捕集することが可能となる。よって、圧縮機２側へのミストＭの入り込みによる圧縮効率の低下をより確実に防止することができる。
【００４８】
［湿度取得部］
図２に示すように、湿度取得部４０は、複数（例えば、本実施形態では４つ）の湿度センサーを備えている。具体的に、湿度取得部４０は、吸気用建屋１１の外部に配置された第一湿度センサー４１と、吸気用建屋１１の内部（すなわち、吸気室１４内）に配置された第二湿度センサー４２、第三湿度センサー４３及び第四湿度センサー４４と、を備えている。なお、図中においては各湿度センサー４１，４２，４３，４４をそれぞれ１つずつ示しているが、各湿度センサー４１，４２，４３，４４の数は、吸気用建屋１１の大きさなどによって適宜設定可能である。
【００４９】
第一湿度センサー４１は、複数の噴射ノズル１３から遠く離反した位置に配置されている。すなわち、第一湿度センサー４１は、噴射ノズル１３から噴射されるミストＭの影響を受けない位置に配置されている。例えば、第一湿度センサー４１は、発電所の所定位置に配置されている。これにより、第一湿度センサー４１は、大気の湿度を取得することが可能になっている。
【００５０】
第二湿度センサー４２は、ルーバー２２よりも下流側であってプレフィルタ３１よりも上流側に配置されている。具体的に、第二湿度センサー４２は、壁面１１ａとプレフィルタ壁３１ａとの間に配置されている。例えば、第二湿度センサー４２は、壁面１１ａとプレフィルタ壁３１ａとの間において、吸気用建屋１１の壁面（例えば、天井面）に取り付けられている。これにより、第二湿度センサー４２は、壁面１１ａとプレフィルタ壁３１ａとの間の雰囲気の湿度を取得することが可能になっている。
【００５１】
第三湿度センサー４３は、プレフィルタ３１よりも下流側であって塵埃フィルタ３２よりも上流側に配置されている。具体的に、第三湿度センサー４３は、塵埃フィルタ壁３２ａとプレフィルタ壁３１ａとの間に配置されている。例えば、第三湿度センサー４３は、塵埃フィルタ壁３２ａとプレフィルタ壁３１ａとの間において、吸気用建屋１１の壁面（例えば、天井面）に取り付けられている。これにより、第三湿度センサー４３は、塵埃フィルタ壁３２ａとプレフィルタ壁３１ａとの間の雰囲気の湿度を取得することが可能になっている。
【００５２】
第四湿度センサー４４は、塵埃フィルタ３２よりも下流側であって吸気ダクト１２よりも上流側に配置されている。具体的に、第四湿度センサー４４は、塵埃フィルタ３２と吸気ダクト１２との間であって塵埃フィルタ３２寄りの位置に配置されている。例えば、第四湿度センサー４４は、塵埃フィルタ３２と吸気ダクト１２との間であって塵埃フィルタ３２寄りの位置において、吸気用建屋１１の壁面（例えば、天井面）に取り付けられている。これにより、第四湿度センサー４４は、塵埃フィルタ３２と吸気ダクト１２との間の雰囲気の湿度を取得することが可能となっている。
【００５３】
［噴射量調節部］
図１に示すように、噴射量調節部１６は、タンク１７に貯留された液体を噴射ノズル１３に供給するための配管１５に接続されている。噴射量調節部１６は、制御部５０の制御によって、配管１５を介して液体をタンク１７から噴射ノズル１３に供給することが可能とされている。例えば、噴射量調節部１６は、噴射ノズル１３から噴射されるミストの噴射量を調節可能なポンプである。
【００５４】
噴射量調節部１６は、塵埃フィルタ３２の水分量（以下、単に「フィルタ水分量」という。）に基づいて、噴射ノズル１３から噴射されるミストの噴射量を調節する。ここで、「フィルタ水分量」とは、塵埃フィルタ３２に保持されている水分の量を意味する。
【００５５】
噴射ノズル１３から吸気通路にミストを噴射すると、蒸発せずに残ったミストが塵埃フィルタ３２の上流側に付着し、フィルタ水分量が増加する（すなわち、塵埃フィルタ３２が濡れる）ことがある。噴射量調節部１６は、フィルタ水分量が過度に増加しないように（塵埃フィルタ３２が過度に濡れないように）、噴射ノズル１３から噴射されるミストの噴射量を調節可能とされている。ここで、「フィルタ水分量が過度に増加」とは、塵埃フィルタ３２の上流側のみが濡れる程度ではなく、塵埃フィルタ３２が上流側から下流側にわたって濡れる程度にフィルタ水分量が増加することを意味する。すなわち、噴射量調節部１６は、塵埃フィルタ３２が塩分を下流側まで運ばないように（適切な濡れ具合となるように）、噴射ノズル１３から噴射されるミストの噴射量を調節可能とされている。
【００５６】
［制御部］
図２に示すように、制御部５０は、湿度取得部４０における各湿度センサー４１，４２，４３，４４の検知結果（取得湿度）を記憶する記憶部５１と、各湿度センサー４１，４２，４３，４４の検知結果に所定の演算処理を行う演算処理部５２と、フィルタ水分量が予め設定した閾値を超えたか否かを判定する判定部５３と、を備えている。
【００５７】
記憶部５１は、湿度取得部４０における各湿度センサー４１，４２，４３，４４の検知結果をリアルタイムで記憶する。なお、記億部５１には、予め設定した閾値が記憶されていてもよい。また、記憶部５１には、各湿度センサー４１，４２，４３，４４の検知結果をパラメータとしてフィルタ水分量を求めるテーブルが記憶されていてもよい。
【００５８】
演算処理部５２は、各湿度センサー４１，４２，４３，４４の検知結果に対し、所定の演算処理を行う。なお、湿度取得部４０における各湿度センサー４１，４２，４３，４４がそれぞれ複数配置されている場合には、演算処理部５２は、複数の各湿度センサー４１，４２，４３，４４の検知結果を平均化する演算処理を行ってもよい。
【００５９】
ここで、塵埃フィルタ３２が濡れていると、塵埃フィルタ３２を通り抜けた空気が湿るため、塵埃フィルタ３２よりも下流側の雰囲気（以下、単に「下流側雰囲気」という。）の湿度は、塵埃フィルタ３２よりも上流側の雰囲気（以下、単に「上流側雰囲気」という。）の湿度よりも高くなる。
【００６０】
判定部５３は、湿度取得部４０によって取得された上流側雰囲気と下流側雰囲気との湿度に基づいて、下流側雰囲気の湿度が上流側雰囲気の湿度よりも所定値以上高いときにフィルタ水分量が閾値を超えたと判定する。例えば、判定部５３は、第三湿度センサー４３によって取得された上流側雰囲気の湿度と、第四湿度センサー４４によって取得された下流側雰囲気の湿度とに基づいて、下流側雰囲気の湿度が上流側雰囲気の湿度よりも所定値以上高いときにフィルタ水分量が閾値を超えたと判定する。なお、判定部５３は、下流側雰囲気の湿度が上流側雰囲気の湿度よりも少しでも高いときにフィルタ水分量が閾値を超えたと判定してもよい。すなわち、所定値を設定しなくてもよい。
【００６１】
制御部５０は、フィルタ水分量に基づいて、噴射量調節部１６を制御する。制御部５０は、判定部５３においてフィルタ水分量が閾値を超えたと判定されたときに、噴射ノズル１３からのミストの噴射量を減少させるよう噴射量調節部１６を制御する。閾値は、塵埃フィルタ３２の上流側にのみ水分が含まれる程度の水分量に設定することが好ましい。すなわち、閾値は、塵埃フィルタ３２の下流側には水分が含まれない状態の水分量（塩水が塵埃フィルタ３２を通り抜けない程度の水分量）に設定することが好ましい。
【００６２】
［ガスタービンプラントの動作］
以下、上記構成を備えたガスタービンプラント１の動作の一例について説明する。
図１に示すように、ガスタービンプラント１は、吸気冷却装置１０により吸気された空気を圧縮機２によって圧縮し、圧縮機２で生成された圧縮空気を用いて燃焼器３により燃焼ガスを生成し、燃焼器３で生成した燃焼ガスによってガスタービン４を回転させる。そして、ガスタービン４で発生した動力を発電機５により電力に変換する。
【００６３】
例えば、吸気冷却装置１０は、外気温度が１１℃以上の場合にミストＭを噴射することで吸気冷却を行う。吸気冷却装置１０は、空気の流れ方向（図２中矢印の方向）と反対方向に向けて噴射ノズル１３からミストＭを大気中に噴射する。これにより、噴射ノズル１３から噴射されたミストＭは、はじめは空気の流れ方向とは反対方向に進むが、やがて空気の流れに抗することができなくなり、最終的には空気に同伴して下流側に進む。そのため、ミストＭの飛翔距離を延ばすことができる。
【００６４】
なお、噴射ノズル１３は、水平面に対して斜め上方にミスト噴射口１３ａを向けるように傾斜した状態に配置されていてもよい。これにより、噴射ノズル１３から噴射されたミストＭは、拡散方向が全体に亘って鉛直方向上方に調節されるため、蒸発することなく地面等に付着するミストＭの量を減少させることができる。そのため、噴射ノズル１３から放射状に噴射されたミストＭの全体に亘って滞留時間を長くすることができる。
【００６５】
吸気冷却装置１０は、ルーバー２２を備えているので、空気取入口２１内に雨が直接的に入り込むことを防止することができる。また、噴射ノズル１３から噴射されたミストＭの一部は、ルーバー２２に付着することで捕捉される。すなわち、ルーバー２２は、ミストＭの一部を捕捉する捕捉部材として機能する。ルーバー２２に付着したミストＭは、ルーバー２２間を通り抜けて空気取入口２１に吸気される空気に触れることで蒸発する。よって、空気取入口２１に吸気される空気をより一層効率的に冷却することが可能となる。
【００６６】
吸気冷却装置１０は、噴射ノズル１３よりも下流側に配置されたプレフィルタ３１を備えているので、空気中に噴射されたミストＭがルーバー２２に付着することなく、且つ蒸発せずに空気取入口２１内に入り込んでしまった場合であっても、空気中に残存したミストＭをプレフィルタ３１によって捕捉することができる。そのため、空気がプレフィルタ３１を通過する際にプレフィルタ３１に捕捉されたミストＭを蒸発させることで空気の冷却効率を高めつつ、圧縮機２側にミストＭが入り込むことによって圧縮効率が低下するといった不具合の発生を防止することができる。
【００６７】
吸気冷却装置１０は、塵埃フィルタ３２を備えているので、吸気室１４内に吸気された空気中に含まれる塵埃を確実に除去することができる。よって、塵埃が圧縮機２側に導かれることで圧縮効率が低下するといった不具合の発生を防止することができる。
【００６８】
［ガスタービンの吸気方法］
以下、上記ガスタービンプラント１におけるガスタービンの吸気方法の一例について説明する。
ガスタービンの吸気方法は、吸気部を構成する吸気用建屋１１及び吸気ダクト１２を介して大気中から吸気した空気を、吸気用建屋１１に設けられた塵埃フィルタ３２を介して圧縮機２の吸気側へと導く方法であって、フィルタ水分量に基づいて、吸気用建屋１１よりも上流側で噴射されるミストの噴射量を調節する噴射量調節工程と、フィルタ水分量が予め設定した閾値を超えたか否かを判定する判定工程と、を含む。
【００６９】
本実施形態において、判定工程では、上流側雰囲気と下流側雰囲気との湿度に基づいて、下流側雰囲気の湿度が上流側雰囲気の湿度よりも所定値以上高いときにフィルタ水分量が閾値を超えたと判定する。噴射量調節工程では、判定工程においてフィルタ水分量が閾値を超えたと判定されたときに噴射ノズル１３から噴射されるミストの噴射量を減少させる。
【００７０】
例えば、噴射量調節工程では、噴射ノズル１３に供給する液体の圧力を調節することで、噴射ノズル１３から噴射されるミストの噴射量を調節する。すなわち、噴射量調節工程では、噴射ノズル１３に供給する液体の圧力を低くすることで、噴射ノズル１３から噴射されるミストの噴射量を減少させる。
【００７１】
なお、噴射量調節工程では、噴射ノズル１３に供給する液体の圧力を維持しつつ、ミストを噴射する噴射ノズル１３の数を調節することで、ミストの噴射量を調節してもよい。すなわち、噴射量調節工程では、噴射ノズル１３に供給する液体の圧力を維持しつつ、ミストを噴射する噴射ノズル１３の数を減らすことで、ミストの噴射量を減少させる。
【００７２】
ガスタービンプラント１の出力向上を実現するためには、吸気冷却装置１０による冷却効率を向上させることが重要である。ここで、吸気冷却装置１０による冷却効率はミストＭの蒸発量に依存する。すなわち、吸気冷却装置１０による冷却効率を向上させるためには、噴射ノズル１３から噴射したミストＭの蒸発量を増大させる必要がある。ミストＭの蒸発量には、ミストＭの平均粒径が大きく影響する。
【００７３】
噴射量調節工程において、噴射ノズル１３に供給する液体の圧力を維持しつつ、ミストを噴射する噴射ノズル１３の数を減らすことで、噴射ノズル１３に供給する液体の圧力を低くする場合と比較して、噴射ノズル１３から噴射されるミストＭの平均粒径を小さくすることができる。そのため、空気の流れに取り込まれたミストＭは、空気取入口２１に吸気されるまでの間に十分に蒸発する。よって、多量の蒸発潜熱が空気から奪われ、空気の冷却効率を向上させることができる。
【００７４】
図３は、第一実施形態に係るガスタービンの吸気方法において、大気の湿度とミストの噴射量との関係を示す図である。図３において、横軸は「大気の湿度」、縦軸は「ミストの噴射量」である。
【００７５】
図３に示すように、噴射量調節工程では、大気の湿度に基づいて、ミストの噴射量を段階的に調節する。すなわち、噴射量調節工程では、大気の湿度が高いほどミストの噴射量を減少させる。例えば、大気の湿度が６０％以上かつ７０％未満の場合は、通常の量のミストを噴射させる。大気の湿度が７０％以上かつ８０％未満の場合は、通常の２／３の量のミストを噴射させる。大気の湿度が８０％以上かつ９０％未満の場合は、通常の１／３の量のミストを噴射させる。大気の湿度が９０％以上の場合は、ミストを噴射させない。これにより、空気取入口２１に吸気される空気を、大気の湿度を加味して適切な湿度に調節することができる。
【００７６】
ところで、大気中（特に、海の近傍）には塩分が存在するため、大気中の塩分が空気とともに吸気装置の内部に取り込まれ、吸気装置に設置されたフィルタの上流側に塩が付着することがある。一方、吸気通路にミストを噴射すると、蒸発せずに残ったミストがフィルタの上流側に付着し、フィルタが濡れることがある。この場合、フィルタに付着した塩がフィルタの水分によって溶けることがある。そして、フィルタが過度に濡れていると、塩水がフィルタを通り抜けることがある。さらに、フィルタの下流側に塩が析出することもある。そうすると、フィルタを通り抜けた塩水、又はフィルタの下流側に析出した塩が飛散してガスタービンに入り込み、ガスタービンの性能が低下してしまう可能性がある。
【００７７】
これに対し、本実施形態では、フィルタ水分量に基づいて吸気用建屋１１よりも上流側で噴射されるミストの噴射量を調節することで、塵埃フィルタ３２が過度に濡れることを抑制することができる。そのため、塵埃フィルタ３２の上流側に塩が付着し、塵埃フィルタ３２の水分によって塩が溶けたとしても、塩水が塵埃フィルタ３２を通り抜けることを抑えることができる。したがって、塵埃フィルタ３２の下流側に塩が侵入することを抑制することができる。
【００７８】
また、フィルタ水分量が閾値を超えたと判定されたときにミストの噴射量を減少させることで、塵埃フィルタ３２が過度に濡れることをより確実に抑制することができる。例えば、閾値を安全側に設定しておくことによって、塵埃フィルタ３２の下流側に塩が侵入することをより確実に抑制することができる。なお、安全側は、塵埃フィルタ３２の上流側にのみ水分が含まれる程度の水分量（すなわち、塵埃フィルタ３２の下流側には水分が含まれない状態の水分量）としてもよい。
【００７９】
ここで、塵埃フィルタ３２が濡れていると、塵埃フィルタ３２を通り抜けた空気が湿るため、下流側雰囲気の湿度は上流側雰囲気の湿度よりも高くなる。本実施形態によれば、下流側雰囲気の湿度が上流側雰囲気の湿度よりも所定値以上高いときにフィルタ水分量が閾値を超えたと判定することで、ミストの噴射量を減少させるタイミングを塵埃フィルタ３２が過度に濡れる前に簡便かつ確実に取得することができる。
【００８０】
（第二実施形態）
図４は、第二実施形態に係る吸気冷却装置２１０の要部構成を示す上面図である。
第二実施形態では、吸気冷却装置２１０が、上述した湿度取得部４０に替えて、周囲の雰囲気の温度を取得する温度取得部２４０を備えている。この点で、第二実施形態は第一実施形態と異なる。
以下、第二実施形態に係る温度取得部２４０について説明する。なお、第二実施形態においては、第一実施形態における構成要素と同一の部分については同一の符号を付しその説明を省略し、異なる点について説明する。
【００８１】
［温度取得部］
図４に示すように、温度取得部２４０は、複数（例えば、本実施形態では４つ）の温度センサーを備えている。具体的に、温度取得部２４０は、吸気用建屋１１の外部に配置された第一温度センサー２４１と、吸気用建屋１１の内部（すなわち、吸気室１４内）に配置された第二温度センサー２４２、第三温度センサー２４３及び第四温度センサー２４４と、を備えている。各温度センサー２４１，２４２，２４３，２４４の配置位置は、図２中の各湿度センサー４１，４２，４３，４４の配置位置に対応する。なお、図中においては各温度センサー２４１，２４２，２４３，２４４をそれぞれ１つずつ示しているが、各温度センサー２４１，２４２，２４３，２４４の数は、吸気用建屋１１の大きさなどによって適宜設定可能である。
【００８２】
第一温度センサー２４１は、複数の噴射ノズル１３から遠く離反した位置に配置されている。すなわち、第一温度センサー２４１は、噴射ノズル１３から噴射されるミストＭの影響を受けない位置に配置されている。例えば、第一温度センサー２４１は、発電所の所定位置に配置されている。これにより、第一温度センサー２４１は、大気の温度を取得することが可能になっている。
【００８３】
第二温度センサー２４２は、ルーバー２２よりも下流側であってプレフィルタ３１よりも上流側に配置されている。具体的に、第二温度センサー２４２は、壁面１１ａとプレフィルタ壁３１ａとの間に配置されている。例えば、第二温度センサー２４２は、壁面１１ａとプレフィルタ壁３１ａとの間において、吸気用建屋１１の壁面（例えば、天井面）に取り付けられている。これにより、第二温度センサー２４２は、壁面１１ａとプレフィルタ壁３１ａとの間の雰囲気の温度を取得することが可能になっている。
【００８４】
第三温度センサー２４３は、プレフィルタ３１よりも下流側であって塵埃フィルタ３２よりも上流側に配置されている。具体的に、第三温度センサー２４３は、塵埃フィルタ壁３２ａとプレフィルタ壁３１ａとの間に配置されている。例えば、第三温度センサー２４３は、塵埃フィルタ壁３２ａとプレフィルタ壁３１ａとの間において、吸気用建屋１１の壁面（例えば、天井面）に取り付けられている。これにより、第三温度センサー２４３は、塵埃フィルタ壁３２ａとプレフィルタ壁３１ａとの間の雰囲気の温度を取得することが可能になっている。
【００８５】
第四温度センサー２４４は、塵埃フィルタ３２よりも下流側であって吸気ダクト１２よりも上流側に配置されている。具体的に、第四温度センサー２４４は、塵埃フィルタ３２と吸気ダクト１２との間であって塵埃フィルタ３２寄りの位置に配置されている。例えば、第四温度センサー２４４は、塵埃フィルタ３２と吸気ダクト１２との間であって塵埃フィルタ３２寄りの位置において、吸気用建屋１１の壁面（例えば、天井面）に取り付けられている。これにより、第四温度センサー２４４は、塵埃フィルタ３２と吸気ダクト１２との間の雰囲気の温度を取得することが可能となっている。
【００８６】
[制御部]
制御部５０は、温度取得部２４０における各温度センサー２４１，２４２，２４３，２４４の検知結果（取得温度）を記憶する記憶部５１と、各温度センサー２４１，２４２，２４３，２４４の検知結果に所定の演算処理を行う演算処理部５２と、フィルタ水分量が予め設定した閾値を超えたか否かを判定する判定部５３と、を備えている。
【００８７】
記憶部５１は、温度取得部２４０における各温度センサー２４１，２４２，２４３，２４４の検知結果をリアルタイムで記憶する。なお、記億部５１には、予め設定した閾値が記憶されていてもよい。また、記憶部５１には、各温度センサー２４１，２４２，２４３，２４４の検知結果をパラメータとしてフィルタ水分量を求めるテーブルが記憶されていてもよい。
【００８８】
演算処理部５２は、各温度センサー２４１，２４２，２４３，２４４の検知結果に対し、所定の演算処理を行う。なお、温度取得部２４０における各温度センサー２４１，２４２，２４３，２４４がそれぞれ複数配置されている場合には、演算処理部５２は、複数の各温度センサー２４１，２４２，２４３，２４４の検知結果を平均化する演算処理を行ってもよい。
【００８９】
ここで、塵埃フィルタ３２が濡れていると、塵埃フィルタ３２を通り抜けた空気が冷却されるため、下流側雰囲気の温度は、上流側雰囲気の温度よりも低くなる。
【００９０】
判定部５３は、温度取得部２４０によって取得された上流側雰囲気と下流側雰囲気との温度に基づいて、下流側雰囲気の温度が上流側雰囲気の温度よりも所定値以上低いときにフィルタ水分量が閾値を超えたと判定する。例えば、判定部５３は、第三温度センサー２４３によって取得された上流側雰囲気の温度と、第四温度センサー２４４によって取得された下流側雰囲気の温度とに基づいて、下流側雰囲気の温度が上流側雰囲気の温度よりも所定値以上低いときにフィルタ水分量が閾値を超えたと判定する。なお、判定部５３は、下流側雰囲気の温度が上流側雰囲気の温度よりも少しでも低いときにフィルタ水分量が閾値を超えたと判定してもよい。すなわち、所定値を設定しなくてもよい。
【００９１】
制御部５０は、フィルタ水分量に基づいて、噴射量調節部１６を制御する。制御部５０は、判定部においてフィルタ水分量が閾値を超えたと判定されたときに、噴射ノズル１３からのミストの噴射量を減少させるよう噴射量調節部１６を制御する。
【００９２】
［ガスタービンの吸気方法］
以下、第二実施形態に係るガスタービンの吸気方法の一例について説明する。
本実施形態において、判定工程では、上流側雰囲気と下流側雰囲気との温度に基づいて、下流側雰囲気の温度が上流側雰囲気の温度よりも所定値以上低いときにフィルタ水分量が閾値を超えたと判定する。噴射量調節工程では、判定工程においてフィルタ水分量が閾値を超えたと判定されたときに噴射ノズル１３から噴射されるミストの噴射量を減少させる。
【００９３】
図５は、第二実施形態に係るガスタービンの吸気方法において、大気の温度とミストの噴射量との関係を示す図である。図５において、横軸は「大気の温度」、縦軸は「ミストの噴射量」である。
【００９４】
図５に示すように、噴射量調節工程では、大気の温度に基づいて、ミストの噴射量を段階的に調節する。すなわち、噴射量調節工程では、大気の温度が高いほどミストの噴射量を増加させる。例えば、大気の温度が１１℃以下の場合は、ミストを噴射させない。大気の温度が１１℃を超えかつ２０℃以下の場合は、通常の１／３の量のミストを噴射させる。大気の温度が２０℃を超えかつ３０℃以下の場合は、通常の２／３の量のミストを噴射させる。大気の温度が３０℃を超えている場合は、通常の量のミストを噴射させる。これにより、空気取入口２１に吸気される空気を、大気の温度を加味して適切な湿度に調節することができる。なお、噴射量調節工程では、湿り空気線図（不図示）を考慮して、現状の湿度と飽和湿度（相対湿度１００％）の差分の水分が蒸発するようにミストを噴射させてもよい。
【００９５】
ここで、塵埃フィルタ３２が濡れていると、塵埃フィルタ３２を通り抜けた空気が冷却されるため、下流側雰囲気の温度は上流側雰囲気の温度よりも低くなる。本実施形態によれば、下流側雰囲気の温度が上流側雰囲気の温度よりも所定値以上低いときにフィルタ水分量が閾値を超えたと判定することで、ミストの噴射量を減少させるタイミングを塵埃フィルタ３２が過度に濡れる前に簡便かつ確実に取得することができる。
【００９６】
（第三実施形態）
図６は、第三実施形態に係る吸気冷却装置３１０の要部構成を示す上面図である。
第三実施形態では、吸気冷却装置３１０が、上述した湿度取得部４０に替えて、周囲の雰囲気の差圧を取得する差圧取得部３４０を備えている。この点で、第三実施形態は第一実施形態と異なる。
以下、第三実施形態に係る差圧取得部３４０について説明する。なお、第三実施形態においては、第一実施形態における構成要素と同一の部分については同一の符号を付しその説明を省略し、異なる点について説明する。
【００９７】
［差圧取得部］
図６に示すように、差圧取得部３４０は、複数（例えば、本実施形態では４つ）の圧力センサーを備えている。具体的に、差圧取得部３４０は、吸気用建屋１１の外部に配置された第一圧力センサー３４１と、吸気用建屋１１の内部（すなわち、吸気室１４内）に配置された第二圧力センサー３４２、第三圧力センサー３４３及び第四圧力センサー３４４と、を備えている。各圧力センサー３４１，３４２，３４３，３４４の配置位置は、図２中の各湿度センサー４１，４２，４３，４４の配置位置に対応する。なお、図中においては各圧力センサー３４１，３４２，３４３，３４４をそれぞれ１つずつ示しているが、各圧力センサー３４１，３４２，３４３，３４４の数は、吸気用建屋１１の大きさなどによって適宜設定可能である。
【００９８】
第一圧力センサー３４１は、複数の噴射ノズル１３から遠く離反した位置に配置されている。すなわち、第一圧力センサー３４１は、噴射ノズル１３から噴射されるミストＭの影響を受けない位置に配置されている。例えば、第一圧力センサー３４１は、発電所の所定位置に配置されている。これにより、第一圧力センサー３４１は、大気の圧力を取得することが可能になっている。
【００９９】
第二圧力センサー３４２は、ルーバー２２よりも下流側であってプレフィルタ３１よりも上流側に配置されている。具体的に、第二圧力センサー３４２は、壁面１１ａとプレフィルタ壁３１ａとの間に配置されている。例えば、第二圧力センサー３４２は、壁面１１ａとプレフィルタ壁３１ａとの間において、吸気用建屋１１の壁面（例えば、天井面）に取り付けられている。これにより、第二圧力センサー３４２は、壁面１１ａとプレフィルタ壁３１ａとの間の雰囲気の圧力を取得することが可能になっている。
【０１００】
第三圧力センサー３４３は、プレフィルタ３１よりも下流側であって塵埃フィルタ３２よりも上流側に配置されている。具体的に、第三圧力センサー３４３は、塵埃フィルタ壁３２ａとプレフィルタ壁３１ａとの間に配置されている。例えば、第三圧力センサー３４３は、塵埃フィルタ壁３２ａとプレフィルタ壁３１ａとの間において、吸気用建屋１１の壁面（例えば、天井面）に取り付けられている。これにより、第三圧力センサー３４３は、塵埃フィルタ壁３２ａとプレフィルタ壁３１ａとの間の雰囲気の圧力を取得することが可能になっている。
【０１０１】
第四圧力センサー３４４は、塵埃フィルタ３２よりも下流側であって吸気ダクト１２よりも上流側に配置されている。具体的に、第四圧力センサー３４４は、塵埃フィルタ３２と吸気ダクト１２との間であって塵埃フィルタ３２寄りの位置に配置されている。例えば、第四圧力センサー３４４は、塵埃フィルタ３２と吸気ダクト１２との間であって塵埃フィルタ３２寄りの位置において、吸気用建屋１１の壁面（例えば、天井面）に取り付けられている。これにより、第四圧力センサー３４４は、塵埃フィルタ３２と吸気ダクト１２との間の雰囲気の圧力を取得することが可能となっている。
【０１０２】
［制御部］
制御部５０は、差圧取得部３４０における各圧力センサー３４１，３４２，３４３，３４４の検知結果（取得圧力）を記憶する記憶部５１と、各圧力センサー３４１，３４２，３４３，３４４の検知結果に所定の演算処理を行う演算処理部５２と、フィルタ水分量が予め設定した閾値を超えたか否かを判定する判定部５３と、を備えている。
【０１０３】
記憶部５１は、差圧取得部３４０における各圧力センサー３４１，３４２，３４３，３４４の検知結果をリアルタイムで記憶する。なお、記億部５１には、予め設定した閾値が記憶されていてもよい。また、記憶部５１には、各圧力センサー３４１，３４２，３４３，３４４の検知結果をパラメータとしてフィルタ水分量を求めるテーブルが記憶されていてもよい。
【０１０４】
演算処理部５２は、各圧力センサー３４１，３４２，３４３，３４４の検知結果に対し、所定の演算処理を行う。演算処理部５２は、各圧力センサー３４１，３４２，３４３，３４４の検知結果（圧力検知値の差分）に基づき、上流側雰囲気と下流側雰囲気との差圧を演算する。すなわち、本実施形態に係る演算処理部５２は、差圧取得部３４０の一部を構成するものである。なお、差圧取得部３４０における各圧力センサー３４１，３４２，３４３，３４４がそれぞれ複数配置されている場合には、演算処理部５２は、複数の各圧力センサー３４１，３４２，３４３，３４４の検知結果を平均化する演算処理を行ってもよい。
【０１０５】
ここで、塵埃フィルタ３２が濡れていたり、塵埃フィルタ３２に塩が付着していたりすると、塵埃フィルタ３２を通過して下流側に流れ込む空気の流量が減少するため、上流側雰囲気の圧力が下流側雰囲気の圧力よりも高くなり、上流側雰囲気と下流側雰囲気との差圧が大きくなる。
【０１０６】
判定部５３は、差圧取得部３４０によって取得された上流側雰囲気と下流側雰囲気との差圧に基づいて、上流側雰囲気と下流側雰囲気との差圧が所定値を超えたときにフィルタ水分量が閾値を超えたと判定する。例えば、判定部５３は、第三圧力センサー３４３によって取得された上流側雰囲気の圧力と、第四圧力センサー３４４によって取得された下流側雰囲気の圧力との差分に基づいて演算された上流側雰囲気と下流側雰囲気との差圧に基づいて、上流側雰囲気と下流側雰囲気との差圧が所定値を超えたときにフィルタ水分量が閾値を超えたと判定する。
【０１０７】
制御部５０は、フィルタ水分量に基づいて、噴射量調節部１６を制御する。制御部５０は、判定部５３においてフィルタ水分量が閾値を超えたと判定されたときに、噴射ノズル１３からのミストの噴射量を減少させるよう噴射量調節部１６を制御する。
【０１０８】
［ガスタービンの吸気方法］
以下、第三実施形態に係るガスタービンの吸気方法の一例について説明する。
本実施形態において、判定工程では、上流側雰囲気と下流側雰囲気との差圧に基づいて、上流側雰囲気と下流側雰囲気との差圧が所定値を超えたときにフィルタ水分量が閾値を超えたと判定する。噴射量調節工程では、判定工程においてフィルタ水分量が閾値を超えたと判定されたときに噴射ノズル１３から噴射されるミストの噴射量を減少させる。
【０１０９】
図７は、第三実施形態に係るガスタービンの吸気方法において、上流側雰囲気と下流側雰囲気との差圧と、ミストの噴射量との関係を示す図である。図７において、横軸は「上流側雰囲気と下流側雰囲気との差圧」、縦軸は「ミストの噴射量」である。
【０１１０】
図７に示すように、噴射量調節工程では、上流側雰囲気と下流側雰囲気との差圧に基づいて、ミストの噴射量を段階的に調節する。すなわち、噴射量調節工程では、上流側雰囲気と下流側雰囲気との差圧が高いほどミストの噴射量を減少させる。例えば、上流側雰囲気と下流側雰囲気との差圧が０．５ｋＰａ以下の場合は、通常の量のミストを噴射させる。上流側雰囲気と下流側雰囲気との差圧が０．５ｋＰａを超えかつ０．６ｋＰａ以下の場合は、通常の１／２の量のミストを噴射させる。上流側雰囲気と下流側雰囲気との差圧が０．６ｋＰａを超えている場合は、ミストを噴射させない。これにより、空気取入口２１に吸気される空気を、上流側雰囲気と下流側雰囲気との差圧を加味して適切な湿度に調節することができる。
【０１１１】
ここで、塵埃フィルタ３２が濡れていたり、塵埃フィルタ３２に塩が付着していたりすると、塵埃フィルタ３２を通過して下流側に流れ込む空気の流量が減少するため、上流側雰囲気の圧力が下流側雰囲気の圧力よりも高くなり、上流側雰囲気と下流側雰囲気との差圧が大きくなる。この方法によれば、上流側雰囲気と下流側雰囲気との差圧が所定値を超えたときにフィルタ水分量が閾値を超えたと判定することで、ミストの噴射量を減少させるタイミングを、塵埃フィルタ３２が過度に濡れたり塵埃フィルタ３２に塩が過度に付着したりする前に簡便かつ確実に取得することができる。例えば、所定値を安全側に設定しておくことによって、塵埃フィルタ３２が過度に濡れたり塵埃フィルタ３２に塩が過度に付着したりする前にミストの噴射量を減少させるタイミングを取得することができるため、塵埃フィルタ３２の下流側に塩が侵入することをより確実に抑制することができる。
【０１１２】
（第四実施形態）
図８は、第四実施形態に係る吸気冷却装置４１０の要部構成を示す側面図である。
第四実施形態では、吸気冷却装置４１０が、塵埃フィルタ３２に設けられた水分検知部６０を更に備えている。この点で、第四実施形態は第一実施形態と異なる。
以下、第四実施形態に係る水分検知部６０について説明する。なお、第四実施形態においては、第一実施形態における構成要素と同一の部分については同一の符号を付しその説明を省略し、異なる点について説明する。
【０１１３】
［水分検知部］
図８に示すように、水分検知部６０は、塵埃フィルタ３２に設けられている。具体的に、水分検知部６０は、塵埃フィルタ３２における塵埃フィルタ壁３２ａの上流側（−Ｙ方向側）の面に取り付けられている。例えば、水分検知部６０は、水滴が付着すると変色する水検知シートと、水検知シートを撮影するカメラと、を備えている。
【０１１４】
［制御部］
制御部５０は、水分検知部６０におけるカメラの検知結果（水検知シートの変色分布）を記憶する記憶部５１と、カメラの検知結果に所定の演算処理を行う演算処理部５２と、フィルタ水分量が予め設定した閾値を超えたか否かを判定する判定部５３と、を備えている。
【０１１５】
記憶部５１は、水分検知部６０におけるカメラの検知結果をリアルタイムで記憶する。なお、記億部５１には、予め実験等により取得した、水検知シートの変色分布をパラメータとしてフィルタ水分量を求めるテーブルが記憶されていてもよい。
【０１１６】
演算処理部５２は、カメラの検知結果に対し、所定の演算処理を行う。演算処理部５２は、カメラの検知結果（水検知シートの変色分布）と、前記テーブルとに基づき、フィルタ水分量を推定する。すなわち、本実施形態に係る演算処理部５２は、水分検知部６０の一部を構成するものである。なお、水分検知部６０におけるカメラが複数配置されている場合には、演算処理部５２は、複数のカメラの検知結果を平均化する演算処理を行ってもよい。
【０１１７】
判定部５３は、水分検知部６０によって推定されたフィルタ水分量（以下、「推定水分量」という。）に基づいて、フィルタ水分量が閾値を超えたと判定する。例えば、判定部５３は、推定水分量が所定値を超えたときにフィルタ水分量が閾値を超えたと判定する。
【０１１８】
制御部５０は、フィルタ水分量に基づいて、噴射量調節部１６を制御する。制御部５０は、判定部５３においてフィルタ水分量が閾値を超えたと判定されたときに、噴射ノズル１３からのミストの噴射量を減少させるよう噴射量調節部１６を制御する。
【０１１９】
［ガスタービンの吸気方法］
以下、第四実施形態に係るガスタービンの吸気方法の一例について説明する。
本実施形態において、判定工程では、塵埃フィルタ３２に設けられた水分検知部６０の検知結果に基づいて、フィルタ水分量が閾値を超えたと判定する。噴射量調節工程では、判定工程においてフィルタ水分量が閾値を超えたと判定されたときに噴射ノズル１３から噴射されるミストの噴射量を減少させる。
【０１２０】
本実施形態によれば、塵埃フィルタ３２に設けられた水分検知部６０の検知結果に基づいてフィルタ水分量が閾値を超えたと判定することで、ミストの噴射量を減少させるタイミングを直接的に取得することができる。
【０１２１】
（第五実施形態）
図９は、第五実施形態に係る吸気冷却装置５１０の要部構成を示す上面図である。
第五実施形態では、吸気冷却装置５１０が、上述した湿度取得部４０に替えて、周囲の雰囲気の湿度、温度及び差圧を取得するデータ取得部５４０を備えている。この点で、第五実施形態は第一実施形態と異なる。
以下、第五実施形態に係るデータ取得部５４０について説明する。なお、第五実施形態においては、第一実施形態における構成要素と同一の部分については同一の符号を付しその説明を省略し、異なる点について説明する。
【０１２２】
［データ検知部］
図９に示すように、データ取得部５４０は、複数（例えば、本実施形態では４つ）のセンサーを備えている。具体的に、データ取得部５４０は、吸気用建屋１１の外部に配置された第一センサー５４１と、吸気用建屋１１の内部（すなわち、吸気室１４内）に配置された第二センサー５４２、第三センサー５４３及び第四センサー５４４と、を備えている。各センサー５４１，５４２，５４３，５４４の配置位置は、図２中の各湿度センサー４１，４２，４３，４４の配置位置に対応する。なお、図中においては各センサー５４１，５４２，５４３，５４４をそれぞれ１つずつ示しているが、各センサー５４１，５４２，５４３，５４４の数は、吸気用建屋１１の大きさなどによって適宜設定可能である。
【０１２３】
第一センサー５４１は、複数の噴射ノズル１３から遠く離反した位置に配置されている。すなわち、第一センサー５４１は、噴射ノズル１３から噴射されるミストＭの影響を受けない位置に配置されている。例えば、第一センサー５４１は、発電所の所定位置に配置されている。第一センサー５４１は、大気の湿度、温度及び圧力をそれぞれ検知する第一湿度検知部５４１ａ、第一温度検知部５４１ｂ及び第一圧力検知部５４１ｃを備えている。これにより、第一センサー５４１は、大気の湿度、温度及び圧力を取得することが可能になっている。
【０１２４】
第二センサー５４２は、ルーバー２２よりも下流側であってプレフィルタ３１よりも上流側に配置されている。具体的に、第二センサー５４２は、壁面１１ａとプレフィルタ壁３１ａとの間に配置されている。例えば、第二センサー５４２は、壁面１１ａとプレフィルタ壁３１ａとの間において、吸気用建屋１１の壁面（例えば、天井面）に取り付けられている。第二センサー５４２は、壁面１１ａとプレフィルタ壁３１ａとの間の雰囲気の湿度、温度及び圧力をそれぞれ検知する第二湿度検知部５４２ａ、第二温度検知部５４２ｂ及び第二圧力検知部５４２ｃを備えている。これにより、第二センサー５４２は、壁面１１ａとプレフィルタ壁３１ａとの間の雰囲気の湿度、温度及び圧力を取得することが可能になっている。
【０１２５】
第三センサー５４３は、プレフィルタ３１よりも下流側であって塵埃フィルタ３２よりも上流側に配置されている。具体的に、第三センサー５４３は、塵埃フィルタ壁３２ａとプレフィルタ壁３１ａとの間に配置されている。例えば、第三センサー５４３は、塵埃フィルタ壁３２ａとプレフィルタ壁３１ａとの間において、吸気用建屋１１の壁面（例えば、天井面）に取り付けられている。第三センサー５４３は、塵埃フィルタ壁３２ａとプレフィルタ壁３１ａとの間の雰囲気の湿度、温度及び圧力をそれぞれ検知する第三湿度検知部５４３ａ、第三温度検知部５４３ｂ及び第三圧力検知部５４３ｃを備えている。これにより、第三センサー５４３は、塵埃フィルタ壁３２ａとプレフィルタ壁３１ａとの間の雰囲気の湿度、温度及び圧力を取得することが可能になっている。
【０１２６】
第四センサー５４４は、塵埃フィルタ３２よりも下流側であって吸気ダクト１２よりも上流側に配置されている。具体的に、第四センサー５４４は、塵埃フィルタ３２と吸気ダクト１２との間であって塵埃フィルタ３２寄りの位置に配置されている。例えば、第四センサー５４４は、塵埃フィルタ３２と吸気ダクト１２との間であって塵埃フィルタ３２寄りの位置において、吸気用建屋１１の壁面（例えば、天井面）に取り付けられている。第四センサー５４４は、塵埃フィルタ３２と吸気ダクト１２との間の雰囲気の湿度、温度及び圧力をそれぞれ検知する第四湿度検知部５４４ａ、第四温度検知部５４４ｂ及び第四圧力検知部５４４ｃを備えている。これにより、第四センサー５４４は、塵埃フィルタ３２と吸気ダクト１２との間の雰囲気の湿度、温度及び圧力を取得することが可能となっている。
【０１２７】
［制御部］
制御部５０は、データ取得部５４０における各センサー５４１，５４２，５４３，５４４の検知結果（取得湿度、取得温度及び取得圧力）を記憶する記憶部５１と、各センサー５４１，５４２，５４３，５４４の検知結果に所定の演算処理を行う演算処理部５２と、フィルタ水分量が予め設定した閾値を超えたか否かを判定する判定部５３と、を備えている。
【０１２８】
記憶部５１は、データ取得部５４０における各センサー５４１，５４２，５４３，５４４の検知結果をリアルタイムで記憶する。なお、記億部５１には、予め設定した閾値が記憶されていてもよい。また、記憶部５１には、各センサー５４１，５４２，５４３，５４４の検知結果をパラメータとしてフィルタ水分量を求めるテーブルが記憶されていてもよい。
【０１２９】
演算処理部５２は、各センサー５４１，５４２，５４３，５４４の検知結果に対し、所定の演算処理を行う。演算処理部５２は、各センサー５４１，５４２，５４３，５４４の検知結果（圧力検知値の差分）に基づき、上流側雰囲気と下流側雰囲気との差圧を演算する。なお、データ取得部５４０における各センサー５４１，５４２，５４３，５４４がそれぞれ複数配置されている場合には、演算処理部５２は、複数の各センサー５４１，５４２，５４３，５４４の検知結果を平均化する演算処理を行ってもよい。
【０１３０】
判定部５３は、データ取得部５４０によって取得された上流側雰囲気と下流側雰囲気との湿度、温度及び差圧に基づいて、下流側雰囲気の湿度が上流側雰囲気の湿度よりも所定値以上高いとき、若しくは下流側雰囲気の温度が上流側雰囲気の温度よりも所定値以上低いとき、又は上流側雰囲気と下流側雰囲気との差圧が所定値を超えたときにフィルタ水分量が閾値を超えたと判定する。例えば、判定部５３は、第三センサー５４３によって取得された上流側雰囲気の湿度及び温度、第四センサー５４４によって取得された下流側雰囲気の湿度及び温度、並びに第三センサー５４３（第三圧力検知部５４３ｃ）によって取得された上流側雰囲気の圧力と第四センサー５４４（第四圧力検知部５４４ｃ）によって取得された下流側雰囲気の圧力との差分に基づいて演算された上流側雰囲気と下流側雰囲気との差圧に基づいて、下流側雰囲気の湿度が上流側雰囲気の湿度よりも所定値以上高いとき、若しくは下流側雰囲気の温度が上流側雰囲気の温度よりも所定値以上低いとき、又は上流側雰囲気と下流側雰囲気との差圧が所定値を超えたときにフィルタ水分量が閾値を超えたと判定する。
【０１３１】
制御部５０は、フィルタ水分量に基づいて、噴射量調節部１６を制御する。制御部５０は、判定部５３においてフィルタ水分量が閾値を超えたと判定されたときに、噴射ノズル１３からのミストの噴射量を減少させるよう噴射量調節部１６を制御する。
【０１３２】
［ガスタービンの吸気方法］
以下、第五実施形態に係るガスタービンの吸気方法の一例について説明する。
本実施形態において、判定工程では、上流側雰囲気と下流側雰囲気との湿度、温度及び差圧に基づいて、下流側雰囲気の湿度が上流側雰囲気の湿度よりも所定値以上高いとき、若しくは下流側雰囲気の温度が上流側雰囲気の温度よりも所定値以上低いとき、又は上流側雰囲気と下流側雰囲気との差圧が所定値を超えたときにフィルタ水分量が閾値を超えたと判定する。噴射量調節工程では、判定工程においてフィルタ水分量が閾値を超えたと判定されたときに噴射ノズル１３から噴射されるミストの噴射量を減少させる。
【０１３３】
本実施形態によれば、上流側雰囲気と下流側雰囲気との湿度、温度及び差圧に基づいて、下流側雰囲気の湿度が上流側雰囲気の湿度よりも所定値以上高いとき、若しくは下流側雰囲気の温度が上流側雰囲気の温度よりも所定値以上低いとき、又は上流側雰囲気と下流側雰囲気との差圧が所定値を超えたときにフィルタ水分量が閾値を超えたと判定することで、上流側雰囲気と下流側雰囲気との湿度、温度及び差圧の何れか一つのみに基づいてフィルタ水分量が閾値を超えたと判定する場合と比較して、ミストの噴射量を減少させるタイミングを塵埃フィルタ３２が過度に濡れる前に簡便かつより確実に取得することができ、塵埃フィルタ３２が過度に濡れることをより確実に抑制することができる。
【０１３４】
（第六実施形態）
図１０は、第六実施形態に係るガスタービンの吸気方法におけるフローチャートを示す図である。
第六実施形態では、ガスタービンの吸気方法が、フィルタ水分量を取得する第一工程と、大気の湿度及び温度を取得する第二工程と、上流側雰囲気と下流側雰囲気との差圧を取得する第三工程と、ミスト噴射後の湿度及び温度を取得する第四工程と、ミストの噴射量を決定する第五工程（噴射量調節工程）と、を備えている。この点で、第六実施形態は第五実施形態と異なる。
以下、第六実施形態に係るガスタービンの吸気方法について説明する。なお、第六実施形態においては、第五実施形態における構成要素と同一の部分については同一の符号を付しその説明を省略し、異なる点について説明する。
【０１３５】
［ガスタービンの吸気方法］
図１０に示すように、本実施形態に係るガスタービンの吸気方法は、フィルタ水分量を取得する第一工程と、大気の湿度及び温度を取得する第二工程と、上流側雰囲気と下流側雰囲気との差圧を取得する第三工程と、ミスト噴射後の湿度及び温度を取得する第四工程と、ミストの噴射量を決定する第五工程と、を備えている。
【０１３６】
第一工程では、データ取得部５４０における各センサー５４１，５４２，５４３，５４４の検知結果（取得湿度、取得温度及び取得圧力）に基づいて、フィルタ水分量を取得する（図１０に示すステップＳ１）。例えば、第一工程では、予め実験等により取得した、各センサー５４１，５４２，５４３，５４４の検知結果（取得湿度、取得温度及び取得圧力）をパラメータとしてフィルタ水分量を求めるテーブルに基づいて、フィルタ水分量を推定する。
【０１３７】
第二工程では、第一センサー５４１における第一湿度検知部５４１ａ及び第一湿度検知部５４１ｂによって、大気の湿度及び温度を取得する（図１０に示すステップＳ２）。
【０１３８】
第三工程では、各センサー５４１，５４２，５４３，５４４の検知結果（圧力検知値の差分）に基づき、上流側雰囲気と下流側雰囲気との差圧を取得する（図１０に示すステップＳ３）。例えば、第三工程では、第三センサー５４３（第三圧力検知部５４３ｃ）によって取得された上流側雰囲気の圧力と第四センサー５４４（第四圧力検知部５４４ｃ）によって取得された下流側雰囲気の圧力との差分に基づいて、上流側雰囲気と下流側雰囲気との差圧を取得する。
【０１３９】
第四工程では、各センサー５４１，５４２，５４３，５４４の検知結果（取得湿度及び取得温度）に基づき、ミスト噴射後の湿度及び温度を取得する（図１０に示すステップＳ４）。例えば、第四工程では、予め実験等により取得した、第三センサー５４３の検知結果（ミスト噴射前の湿度及び温度）をパラメータとしてミスト噴射後の湿度及び温度を求めるテーブルに基づいて、塵埃フィルタ壁３２ａとプレフィルタ壁３１ａとの間の雰囲気におけるミスト噴射後の湿度及び温度を推定する。
【０１４０】
なお、第四工程では、以下の式（１）に基づいて、塵埃フィルタ壁３２ａとプレフィルタ壁３１ａとの間の雰囲気におけるミスト噴射後の湿度を算出してもよい。ここで、ミスト噴射後の湿度（％）をＷＡ、ミスト噴射前の湿度（％）をＷＢ、空気の冷却効率（％）をＣＥとする。
ＷＡ＝ＷＢ＋（１００％−ＷＢ）×ＣＥ  ・・・（１）
【０１４１】
第五工程では、第一工程で取得したフィルタ水分量、第二工程で取得した大気の湿度及び温度、第三工程で取得した上流側雰囲気と下流側雰囲気との差圧、並びに第四工程で取得したミスト噴射後の湿度及び温度に基づいて、ミストの噴射量を決定する（図１０に示すステップＳ５）。第五工程では、フィルタ水分量、大気の湿度及び温度、上流側雰囲気と下流側雰囲気との差圧、並びにミスト噴射後の湿度及び温度に基づいて、噴射ノズル１３からミストを噴射するか否か、噴射ノズル１３からミストを噴射する場合にはどのくらいのミストの噴射量とするか、を決定する。例えば、ミスト噴射後の湿度は、９０％以下になるように調節する。
【０１４２】
本実施形態によれば、フィルタ水分量、大気の湿度及び温度、上流側雰囲気と下流側雰囲気との差圧、並びにミスト噴射後の湿度及び温度に基づいてミストの噴射量を決定することで、フィルタ水分量のみに基づいてミストの噴射量を調節する場合と比較して、塵埃フィルタ３２が濡れていても、空気取入口２１に吸気される空気を適切な湿度に調節することができる。したがって、塵埃フィルタ３２の下流側に塩が侵入することを抑制するとともに、ミストの噴射量を必要な分だけ調節することができる。
【０１４３】
なお、本発明の技術範囲は上述した実施形態に限定されるものではなく、本発明の趣旨を逸脱しない範囲において種々の変更を加えることが可能である。
【０１４４】
例えば、吸気通路にミストを噴射しなくても、台風及び豪雨などでフィルタが濡れることがある。この場合においても、噴射ノズル１３からミストを噴射させないことで、塵埃フィルタ３２の下流側に塩が侵入することを抑制することができる。
【０１４５】
また、フィルタの取り換え直後は、フィルタにはほとんど塩が付着していないため、塩水がフィルタを通り抜けたとしても、フィルタの下流側に塩が析出することはほとんどない。一方、フィルタを数年間使用しているときは、フィルタに多くの塩が付着しているため、塩水がフィルタを通り抜けて、フィルタの下流側に塩が析出することがある。したがって、塵埃フィルタ３２の使用期間に基づいて、噴射ノズル１３から噴射されるミストの噴射量を調節してもよい。例えば、塵埃フィルタ３２の使用期間が所定期間を超えたときに、ミストの噴射量を減少させてもよい。
【０１４６】
また、塵埃フィルタ３２が濡れていると判定されたとき、プレフィルタ３１及び塵埃フィルタ３２に付着している水の蒸発を考慮して、下流側雰囲気の湿度が９０％程度になるようにミストの噴射量を調節してもよい。例えば、大気の温度によって噴射ノズル１３から噴射されるミストの噴射量の何パーセントが蒸発するかのデータを取得し、この取得したデータに基づいて、下流側雰囲気の湿度が９０％程度になるようにミストの噴射量を調節してもよい。
【０１４７】
また、上記実施形態では、水分検知部６０が、水滴が付着すると変色する水検知シートと、水検知シートを撮影するカメラと、を備えた場合を例に挙げたが、これに限らない。例えば、水分検知部６０が、水分センサー又は降雨センサーを備えていてもよい。
【０１４８】
また、上記実施形態では、水分検知部６０が、塵埃フィルタ３２に設けられた場合を例に挙げたが、これに限らない。例えば、水分検知部６０が、プレフィルタ３１に設けられていてもよい。すなわち、水分検知部６０は、水分検知部６０の設置しやすさを加味して設定することができる。
【０１４９】
また、上記実施形態では、フィルタユニット３０が、複数のフィルタを備えた場合を例に挙げたが、これに限らない。例えば、吸気室１４には、１つのフィルタのみが設けられていてもよい。また、吸気湿１４に２つのフィルタを設けた場合には、２つのフィルタの間隔を広げてもよい。これにより、塩又は蒸発せずに残ったミスト等が下流側のフィルタに付着することを抑制することができる。
【０１５０】
また、上記実施形態では、吸気用建屋１１において、ルーバー２２がＺ方向に沿って延びる長板状の部材から構成される場合を例に挙げたが、これに限らない。例えば、ルーバー２２がＸ方向或いはＹ方向に沿って延びる長板状の部材から構成されていてもよい。また、吸気用建屋１１がルーバー２２を有していなくてもよい。
【０１５１】
その他、本発明の趣旨を逸脱しない範囲で、上述した実施形態における構成要素を周知の構成要素に置き換えることは適宜可能である。
【符号の説明】
【０１５２】
２…圧縮機、４…ガスタービン、１０，２１０，３１０，４１０，５１０…吸気冷却装置（ガスタービン吸気装置）、１１…吸気用建屋（吸気部）、１２…吸気ダクト（吸気部）、１３…噴射ノズル（噴射部）、１６…噴射量調節部、３２…塵埃フィルタ（フィルタ）、４０…湿度取得部、５３…判定部、６０…水分検知部、２４０…温度取得部、３４０…差圧取得部
【図１】
2017203411.tif 000003
【図２】
2017203411.tif 000004
【図３】
2017203411.tif 000005
【図４】
2017203411.tif 000006
【図５】
2017203411.tif 000007
【図６】
2017203411.tif 000008
【図７】
2017203411.tif 000009
【図８】
2017203411.tif 000010
【図９】
2017203411.tif 000011
【図１０】
2017203411.tif 000012